(57)【特許請求の範囲】
【請求項１】
屋根葺き板における一縁部を下方に折り曲げて第一立上り部を形成し、該第一立上り部の下縁を内方に折り曲げると共に下側外方に折り返して突縁部を形成し、該突縁部の外縁を下方に折り曲げて第二立上り部を形成し、該第二立上り部の下縁を下側内方に湾曲させて第一湾曲部を形成し、該第一湾曲部の内縁を内方に折り曲げて内向き縁を形成し、
該屋根葺き板における他縁部を上側内方に折り返して第一受け部を形成し、該第一受け部の内縁を下側内方に湾曲させて第二湾曲部を形成し、該第二湾曲部の内縁を上方に折り曲げて第三立上り部を形成し、該第三立上り部の上縁を外方に折り曲げると共に上側内方に折り返して第二受け部を形成し、該第二受け部の内縁を上方に折り曲げて第四立上り部を形成し、
一つの屋根葺き板における第一湾曲部と内向き縁とが別の屋根葺き板における第二湾曲部と第一受け部とに圧接状態で嵌合され、当該一つの屋根葺き板における突縁部が当該別の屋根葺き板における第二受け部に圧接状態で挿嵌されるようにしたことを特徴とする屋根葺き板。
【請求項２】
前記第四立上り部と第二受け部とを屋根葺き板とは別体の固定具を介して屋根葺き板支持体に固定するようにしたことを特徴とする請求項１に記載の屋根葺き板。
【発明の詳細な説明】
【技術分野】
【０００１】
本発明は、屋根葺き板に関するものであり、特に降水時、積雪時等における水漏れを防止すると共に屋根が強風に晒されたときでも屋根葺き板の継合が外れないようにした屋根葺き板に係るものである。
【背景技術】
【０００２】
屋根葺き板は、例えば実開昭６１−１６１３２９号公報に示すように、はぜ組みにより相互に継合される。
【特許文献１】実開昭６１−１６１３２９号公報
【発明の開示】
【発明が解決しようとする課題】
【０００３】
しかるに、従来の屋根葺き板においては、単一のはぜ組みにより相互に継合されるものであるため、特に勾配が小さな屋根の場合、降水時、積雪時等に水漏れを生ずるおそれがある。従って、従来の屋根葺き板は、勾配の小さな屋根には使用し難いという問題が生じている。
【０００４】
本発明は、従来の屋根葺き板におけるこのような問題を解決し、降水時、積雪時等における水漏れを防止すると共に屋根が強風に晒されたときでも屋根葺き板の継合が外れないようにした屋根葺き板を提供しようとしてなされたものである。
【課題を解決するための手段】
【０００５】
上記課題を解決するために、本発明は下記の屋根葺き板を提供する。
【０００６】
（１）屋根葺き板における一縁部を下方に折り曲げて第一立上り部を形成し、該第一立上り部の下縁を内方に折り曲げると共に下側外方に折り返して突縁部を形成し、該突縁部の外縁を下方に折り曲げて第二立上り部を形成し、該第二立上り部の下縁を下側内方に湾曲させて第一湾曲部を形成し、該第一湾曲部の内縁を内方に折り曲げて内向き縁を形成し、
該屋根葺き板における他縁部を上側内方に折り返して第一受け部を形成し、該第一受け部の内縁を下側内方に湾曲させて第二湾曲部を形成し、該第二湾曲部の内縁を上方に折り曲げて第三立上り部を形成し、該第三立上り部の上縁を外方に折り曲げると共に上側内方に折り返して第二受け部を形成し、該第二受け部の内縁を上方に折り曲げて第四立上り部を形成し、
一つの屋根葺き板における第一湾曲部と内向き縁とが別の屋根葺き板における第二湾曲部と第一受け部とに圧接状態で嵌合され、当該一つの屋根葺き板における突縁部が当該別の屋根葺き板における第二受け部に圧接状態で挿嵌されるようにしたことを特徴とする屋根葺き板（請求項１）。
【０００７】
本発明において、「内」とは屋根葺き板の中央部に向かう方向をいい、「外」とは「内」と反対の方向をいうものとする。
【０００８】
（２）前記第四立上り部と第二受け部とを屋根葺き板とは別体の固定具を介して屋根葺き板支持体に固定する（請求項２）。
【発明の効果】
【０００９】
［請求項１の発明］
請求項１の発明による屋根葺き板においては、第一湾曲部と内向き縁とが第二湾曲部と第一受け部とに圧接状態で嵌合され、突縁部が第二受け部に圧接状態で挿嵌される。即ち、屋根葺き板は別の屋根葺き板といわば二つのはぜ組みにて圧接状態で連結される。従って、降水時、積雪時等における水漏れが効果的に防止され、毛細管現象により水が浸入することもない。故に、この屋根葺き板は、勾配が小さい屋根に使用したときでも、水漏れの問題を生ずるおそれがない。
【００１０】
また、第一湾曲部が第二湾曲部を押下しているため、屋根が強風に晒されたときでも、第一湾曲部及び内向き縁と第二湾曲部及び第一受け部との嵌合が外れるおそれはない。
【００１１】
［請求項２の発明］
屋根葺き板は別体の固定具を介して屋根葺き板支持体に確実に固定される。
【発明を実施するための最良の形態】
【００１２】
符号１、１‘に示すものは屋根葺き板である。
【００１３】
屋根葺き板１、１‘は、例えば、厚さ０．４〜０．６ｍｍの鉄、ステンレス鋼等により形成される。
【００１４】
屋根葺き板１における一縁部を下方に折り曲げて第一立上り部３を形成し、該第一立上り部３の下縁を内方に折り曲げると共に下側外方に折り返して突縁部５を形成し、該突縁部５の外縁を下方に折り曲げて第二立上り部７を形成し、該第二立上り部７の下縁を下側内方に湾曲させて第一湾曲部９を形成し、該第一湾曲部９の内縁を内方に折り曲げて内向き縁１１を形成する。
【００１５】
該屋根葺き板１における他縁部を上側内方に折り返して第一受け部１３を形成し、該第一受け部１３の内縁を下側内方に湾曲させて第二湾曲部１５を形成し、該第二湾曲部１５の内縁を上方に折り曲げて第三立上り部１７を形成し、該第三立上り部１７の上縁を外方に折り曲げると共に上側内方に折り返して第二受け部１９を形成し、該第二受け部１９の内縁を上方に折り曲げて第四立上り部２１を形成する。
【００１６】
一つの屋根葺き板１における第一湾曲部９と内向き縁１１とが別の屋根葺き板１’における第二湾曲部１５と第一受け部１３とに圧接状態で嵌合され、当該一つの屋根葺き板１における突縁部５が当該別の屋根葺き板１’における第二受け部１９に圧接状態で挿嵌されるようになす。
【００１７】
前記第四立上り部２１と第二受け部１９とを屋根葺き板１、１’とは別体の固定具２３を介して屋根葺き板支持体２５に固定する。符号２７に示すものは、固定具２３を屋根葺き板支持体２５に固着するためのネジ等の固着具である。
【００１８】
固定具２３は、一例として、図２に示すように、基部２９の一縁を立ち上げると共に折曲して第二受け部押え部３１を形成し、該第二受け部押え部３１の一縁を上方に折り曲げると共に下方に折り返して第四立上り部押え部３３を形成してなるものとする。
【００１９】
図２に示す固定具２３は、第四立上り部押え部３３により第四立上り部２１を押さえさせ、第二受け部押え部３１により第二受け部１９を押さえさせた状態で、基部２９を固着具２７により屋根葺き板支持体２５に固着する。
【図面の簡単な説明】
【００２０】
【図１】本発明による屋根葺き板の一例を示す斜視図である。
【図２】一つの屋根葺き板を別の屋根葺き板と継合した状態を示す側面図である。
【符号の説明】
【００２１】
１  屋根葺き板
１’  屋根葺き板
３  第一立上り部
５  突縁部
７  第二立上り部
９  第一湾曲部
１１  内向き縁
１３  第一受け部
１５  第二湾曲部
１７  第三立上り部
１９  第二受け部
２１  第四立上り部
２３  固定具
２５  屋根葺き板支持体
２７  固着具
２９  基部
３１  第二受け部押え部
３３  第四立上り部押え部
【図１】
0004621611.tif 000002
【図２】
0004621611.tif 000003